【手続補正書】
【提出日】平成18年5月12日(2006.5.12)
【手続補正１】
【補正対象書類名】明細書
【補正対象項目名】特許請求の範囲
【補正方法】変更
【補正の内容】
【特許請求の範囲】
【請求項１】
測定経路較正装置であって、
少なくとも二つの基準受信器（201、202）及び、二つの測定チャンネル（111、112）及び、Ｎを整数としたときに全部で２Ｎ個の測定ポート（103）を有するベクトルネットワークアナライザ（200）と、
高反射較正標準（301）が接続された場合に、前記各測定ポート（103）に対する高反射特性の測定値と、線路較正標準（401）が前記測定ポートのＮ個の対向対の対間に接続された場合に、当該対向対のそれぞれに対する線路順逆方向反射及び伝送特性と、通過較正標準（601）が前記測定ポートのＮ個の対向対の対間に接続された場合に、前記測定ポートのＮ個の対向対のそれぞれ対する対向通過順逆方向反射特性及び伝送特性とを測定し記録するコマンドに応答するよう構成されている前記ベクトルネットワークアナライザ内の回路網と、
前記記録された測定値に基づき、前記測定ポートの前記対向対のそれぞれに対する方向性（1901、1904）と、信号源整合性（1902、1905）と、反射追従性（1903、1906）とを計算するコマンドを受容するよう構成されているプロセッサと、
を含む較正装置。
【請求項２】
さらに前記回路網が、順逆方向反射及び伝送特性を測定し記憶するコマンドに応答するよう構成され、前記プロセッサがさらに各測定ポートごとに負荷整合誤差係数を計算するよう構成されている請求項１記載の較正装置。
【請求項３】
さらに前記回路網が、Ｎ−１個の非対向対について順逆方向伝送特性を測定し記録するコマンドに応答するよう構成され、前記プロセッサがさらに、前記Ｎ−１個の非対向対のそれぞれについて順方向伝送追従性及び逆方向伝送追従性を計算するコマンドを受容するよう構成されている請求項２記載の較正装置。
【請求項４】
さらに前記回路網が、通過較正標準（601）が前記測定ポート（103）の近傍対の対間に接続された場合に、前記測定ポート（103）の近傍対の反射及び伝送応答を測定するよう構成され、前記プロセッサがさらに、前記近傍対のそれぞれについて順逆方向伝送追従誤差係数を計算するよう構成されている請求項２記載の較正装置。
【請求項５】
さらに前記回路網が、２Ｎポート装置（101）を測定してDUT反射及び伝送応答測定値を得るよう構成され、前記回路網がさらに、前記方向性（1901、1904）と信号源整合性（1902、1905）と反射追従性（1903、1906）と負荷整合性と順方向伝送追従誤差係数と逆方向伝送追従誤差係数を利用して前記DUT測定値を補正するコマンドを受容するよう構成されている請求項３記載の較正装置。
【請求項６】
前記高反射標準が短絡較正標準（301）を含む請求項１記載の較正装置。
【請求項７】
前記高反射標準が開放較正標準を含む請求項１記載の較正装置。
【請求項８】
さらに前記回路網が、切替スイッチ（106）の影響に対する前記測定ポートの前記Ｎ個の対向対に関する生の線路順逆方向反射及び伝送特性と、生の通過順逆方向反射及び伝送特性を補正するコマンドを受容するよう構成されている請求項１記載の較正装置。
【請求項９】
前記回路網が、前記生の線路順逆方向反射及び伝送特性と、前記生の通過順逆方向反射及び伝送特性を次式により補正するコマンドを受容するよう構成されている請求項８記載の較正装置。
【数１】
2004163395.tif 000001
ここで、Ａｆは第１の測定チャンネル（111）から順方向に採取した測定値、
Ａｒは前記第１の測定チャンネル（111）から逆方向に採取した測定値、
Ｂｆは第２の測定チャンネル（112）から順方向に採取した測定値、
Ｂｒは前記第２の測定チャンネル（112）から逆方向に採取した測定値、
Ｒ１ｆは第１の基準チャンネル（201）から順方向に採取した測定値、
Ｒ１ｒは第１の基準チャンネル（201）から逆方向に採取した測定値、
Ｒ２ｆは第２の基準チャンネル（202）から順方向に採取した測定値、
Ｒ２ｒは第２の基準チャンネル（202）から逆方向に採取した測定値である。
【請求項１０】
前記プロセッサが前記ベクトルネットワークアナライザ（200）内に配置されている請求項１記載の較正装置。
【手続補正２】
【補正対象書類名】明細書
【補正対象項目名】００１３
【補正方法】変更
【補正の内容】
【００１３】
図３を詳細に参照すると、図３は、第１の測定チャンネル111へ接続可能な第１の対向対の測定ポート103に接続されている高反射較正標準301（「反射301」）を示す。例示する実施形態では、反射301は測定ポート103１に接続されている。さらに切替回路網150は、測定ポート103１が第１の信号経路107に接続され、かつ対応するサンプリングアーム113１が第１の測定チャンネル111に接続されるように設定されている。残りの全ての未使用測定ポート103２、103３、103４は、それらのそれぞれの局部終端負荷104で終端され、残りのサンプリングアーム113はそれぞれサンプリングアーム終端負荷116２、116３、116４に接続されている。当業者には明らかなことであるが、測定ポート103１の測定に関して、第１の測定チャンネル111へ接続可能なこれらの測定ポート103を特性インピーダンスにて終端する切替回路網構成だけが結果に対して重要である。切替回路網150を構成するスイッチの絶縁は十分に高いので、第２の測定チャンネル112へ接続可能な測定ポート103は、高反射測定では、目立たないものとなる。反射301は未知の大きさを有することがあるが、その位相特性は既知でなければならない。さらに信号発生器105は、オペレータがプログラムした所望の周波数範囲にわたって掃引され、その範囲にある特定の周波数において測定がなされる。周波数掃引の間、VNA 200は、第１の周波数受信器201において、測定信号レベルに対する第１の測定チャンネル111における測定信号レベルの比を測定して保存する。得られた比は、周波数依存反射係数であり、ここでは測定ポート103１に関する高反射特性
Ａreflect_1／Ｒ１reflect_1
と呼ぶ。
【手続補正３】
【補正対象書類名】明細書
【補正対象項目名】００７０
【補正方法】変更
【補正の内容】
【００７０】
処理におけるこの時点で、誤差アダプタＸと誤差アダプタＹに関する方向性と信号源整合性と反射追従性が画定される。Ｘ誤差アダプタは、第１の測定チャンネル111へ接続可能な測定ポート103と直列に示される人為的誤差として画定されている。同様に、Ｙ誤差アダプタは、第２の測定チャンネル112へ接続可能な測定ポート103と直列に示される人為的誤差として画定されている。
【手続補正４】
【補正対象書類名】明細書
【補正対象項目名】００７１
【補正方法】変更
【補正の内容】
【００７１】
具体的な４ポート実施形態において、ここに記載した測定ポート103１及び103３に関する測定と計算が、測定ポート103１に関連する誤差アダプタＸに対する方向性と信号源整合性と反射追従性と、測定ポート103３に関連する誤差アダプタＹに対する方向性と信号源整合性と反射追従性をもたらす。測定ポート103１、103３に対して、ここに記載した同じ測定及び計算が第２の対向対に関して実施される。具体的には、測定及び計算が、測定ポート103２と103４について行なわれ、測定ポート103２に関連する誤差アダプタＸに関する方向性と信号源整合性と反射追従性と、測定ポート103４に関連する誤差アダプタＹに関する方向性と信号源整合性と反射追従性がもたらされる。多ポート実施形態では、各対向対に対して同じ測定と計算を実施し、第１の測定チャンネル111に接続可能な対向対の測定ポートに関連する誤差アダプタＸに対する方向性と信号源整合性と反射追従性をもたらし、第２の測定チャンネル112に接続可能な対向対の測定ポートに関連する誤差アダプタＹに対する方向性と信号源整合性と反射追従性をもたらす。したがって、２ＮポートDUT 100は、それに関連するＮ個の異なるＸ誤差アダプタとＮ個の異なるＹ誤差アダプタを有する。